(57)【要約】【課題】ＡＴＭデバイスから受信イネーブル（転送許可）が送出されたにもかかわらずデータ転送を実行しない異常なＰＨＹ機能カードを早期に検出する。【解決手段】受信データ転送監視装置３の転送許可検出部３２は、受信ＣＬＡＶ（転送要求）および受信イネーブル（転送許可）が共に送出されている状態をラッチすることにより、アドレスラッチ部３１によりラッチされた受信アドレスのＰＨＹ機能カードに対しＡＴＭデバイスから転送許可が送出されたことを検出し、複数のＰＨＹ機能カードに対応してそれぞれ設けられたＳＯＣ検出部３３の該当するＳＯＣ検出部３３へ転送許可検出信号を出力する。該当ＳＯＣ検出部３３は、転送許可が送出された後に該当ＰＨＹ機能カードが受信ＳＯＣを送出しないことを検出したときに、その回数をカウントする。異常通報部３４は、ＳＯＣ検出部３３からのカウント結果に基づき異常のＰＨＹ機能カードを通報する。【選択図】      図２
2004201189.tif 000002
【特許請求の範囲】
【請求項１】
ＵＴＯＰＩＡレベル２インタフェースを介して複数のＰＨＹ機能カードからＡＴＭデバイスへ転送される受信データを監視する受信データ転送監視装置において、前記ＡＴＭデバイスのポーリングに応じて転送要求を行ったＰＨＹ機能カードに対し前記ＡＴＭデバイスが転送許可を行ったにもかかわらず、前記転送要求を行ったＰＨＹ機能カードが受信データを転送しないことを検出する手段を有していることを特徴とする受信データ転送監視装置。
【請求項２】
ＵＴＯＰＩＡレベル２インタフェースを介して複数のＰＨＹ機能カードからＡＴＭデバイスへ転送される受信データを監視する受信データ転送監視装置において、前記ＡＴＭデバイスのポーリングに応じて転送要求を行ったＰＨＹ機能カードを識別する手段と、前記ＡＴＭデバイスが前記転送要求を行ったＰＨＹ機能カードに対して転送許可を送出したことを検出する手段と、前記転送許可が送出された前記ＰＨＹ機能カードから転出される受信データの有無を検出する手段と、を備えていることを特徴とする受信データ転送監視装置。
【請求項３】
ＵＴＯＰＩＡレベル２インタフェースを介して複数のＰＨＹ機能カードからＡＴＭデバイスへ転送される受信データを監視する受信データ転送監視装置において、前記ＡＴＭデバイスがポーリングする受信アドレスを受信クロックのタイミングでラッチするアドレスラッチ部と、前記ＡＴＭデバイスのポーリングに応じて受信ＣＬＡＶ（転送要求）を送出したＰＨＹ機能カードに対し前記ＡＴＭデバイスから受信イネーブル（転送許可）が送出されたことを検出する転送許可検出部と、前記複数のＰＨＹ機能カードにそれぞれ対応して設けられて前記受信イネーブル（転送許可）が送出された後に受信データの先頭位置を示す受信ＳＯＣが送出されないことを検出する複数のＳＯＣ検出部と、前記複数のＳＯＣ検出部の検出結果に基づき異常のＰＨＹ機能カードを判定し通報する異常通報部とを有していることを特徴とする受信データ転送監視装置。
【請求項４】
前記転送許可検出部は、前記受信ＣＬＡＶおよび前記受信イネーブルが共に送出されている状態を受信クロックのタイミングでラッチすることにより受信ＣＬＡＶ（転送要求）を送出したＰＨＹ機能カードに対し前記ＡＴＭデバイスから受信イネーブル（転送許可）が送出されたことを検出し、前記アドレスラッチ部によりラッチされた受信アドレスのＰＨＹ機能カードに対応する前記ＳＯＣ検出部へ転送許可検出信号を送出することを特徴とする請求項３記載の受信データ転送監視装置。
【請求項５】
前記複数のＳＯＣ検出部は、前記転送許可検出信号を受けて前記受信ＳＯＣが送出されたか否かを監視し、前記受信ＳＯＣが送出されないことを検出したときにその検出回数（転送失敗回数）をカウントして前記異常通報部へ通知することを特徴とする請求項４記載の受信データ転送監視装置。
【請求項６】
前記異常通報部は、前記複数のＳＯＣ検出部により計測された検出回数（転送失敗回数）に基づき異常が発生しているＰＨＹ機能カードを判定し通報することを特徴とする請求項５記載の受信データ転送監視装置。
【請求項７】
前記異常通報部は、前記複数のＳＯＣ検出部により計測された検出回数（転送失敗回数）に基づき単位時間当りの伝送レートの低下を監視し通報することを特徴とする請求項５記載の受信データ転送監視装置。
【発明の詳細な説明】
【０００１】
【発明の属する技術分野】
本発明は受信データ転送監視装置に関し、特にＵＴＯＰＩＡレベル２インタフェースを介して複数のＰＨＹ機能カードからＡＴＭデバイスへ転送される受信データを監視する受信データ転送監視装置に関する。
【０００２】
【従来の技術】
ＡＴＭ（Ａｓｙｎｃｈｒｏｎｏｕｓ  Ｔｒａｎｓｆｅｒ  Ｍｏｄｅ）デバイスと複数のＰＨＹ（Ｐｈｙｓｉｃａｌ  Ｌａｙｅｒ  Ｐｒｏｔｏｃｏｌ）機能カードとのインタフェースとして、ＡＴＭフォーラムにおいて、ＵＴＯＰＩＡ（Ｕｎｉｖｅｒｓａｌ  Ｔｅｓｔ  ａｎｄ  Ｏｐｅｒａｔｉｏｎ  ＰＨＹ  Ｉｎｔｅｒｆａｃｅ  ｆｏｒ  ＡＴＭ）レベル２が規定されている。
【０００３】
このＵＴＯＰＩＡレベル２は、ＡＴＭデバイス（マスタ）と複数のＰＨＹ機能カード（スレーブ）との間でＡＴＭセルを伝送するのに適したインタフェースであり、複数のＰＨＹ機能カードにＰＨＹ番号をそれぞれ割り当てておき、ＡＴＭデバイスから受信アドレスを使ってＰＨＹ番号をポーリングし、各ＰＨＹ機能カードに転送待ちのＡＴＭセルが存在しているか否かを確認してハンドシェイクを行うようにしている。
【０００４】
ここで、ＡＴＭデバイスがＰＨＹ機能カードに対して行うＰＨＹ番号のポーリング順序についての詳細な規定はないが、例えば、回路構成の単純化等を考慮して、ＰＨＹ番号の通知順序が昇順となるように割り振っている。また、ＡＴＭデバイスで扱える最大ＰＨＹ数に対して使用／未使用に関わらず無条件にＰＨＹ番号を通知するようにしている。
【０００５】
図４は、受信データを転送するＵＴＯＰＩＡレベル２インタフェースを示す図であり、ＡＴＭデバイス１と複数のＰＨＹ機能カード２とがＵＴＯＰＩＡレベル２インタフェースにより接続されている。
【０００６】
なお、ＡＴＭデバイス１からＰＨＹ機能カード２へ転送するＡＴＭセルを送信データとし、逆に、ＰＨＹ機能カード２からＡＴＭデバイス１へ転送するＡＴＭセルを受信データとしている。また、送信データを転送するためのインタフェースおよび受信データを転送するためのインタフェースがそれぞれ独立して存在する。
【０００７】
図４において、ＰＨＹ機能カード２からＡＴＭデバイス１へＡＴＭセルを転送するための受信データと、ＡＴＭデバイス１からＰＨＹ機能カード２をポーリングするための受信アドレスと、ＰＨＹ機能カード２がＡＴＭデバイス１へ受信データの転送要求を通知するための受信ＣＬＡＶと、ＡＴＭデバイス１が指定したＰＨＹ機能カード２へ受信データの転送許可を通知するための受信イネーブルと、ＰＨＹ機能カード２がＡＴＭデバイス１へ受信データを転送する時にＡＴＭセルの先頭位置を通知するための受信ＳＯＣと、全ての動作のタイミング基準となるクロックを伝送するための受信クロックとの各バスで構成される。
【０００８】
ここで、受信アドレスは５ビットで構成し、各ＰＨＹ機能カードのＰＨＹ番号「＃００ｈ〜＃１Ｅｈ」を指定することができる。
【０００９】
また、受信（送信）データは、５バイトのヘッダ（Ｈ１，Ｈ２，……，Ｈ５）と４８バイトのペイロード（Ｐ１，Ｐ２，……，Ｐ４８）とからなるＡＴＭセル単位で伝送される。受信（送信）クロックは数十ＭＨｚであり、高速転送を可能としている。
【００１０】
更に、受信ＣＬＡＶおよび受信ＳＯＣの信号レベルは３段階とし、Ｈｉｇｈレベル，Ｌｏｗレベルの他に、ＨｉｇｈレベルとＬｏｗレベルとの中間レベルを設け、信号が存在しない状態を示すようにしている。
【００１１】
図５は、ＵＴＯＰＩＡレベル２の受信データ転送動作の一例を示すタイミングチャートである。
【００１２】
ここでは、ＡＴＭデバイス１がＰＨＹ番号「＃０４ｈ」のＰＨＹ機能カード２（＃０４）から受信データを受信する場合を示している。なお、受信クロックに付した番号はタイミングを説明するためのものである。
【００１３】
また、ＡＴＭデバイス１は、ＰＨＹ番号を示す受信アドレスを使ってポーリングを実施して該当ＰＨＹ機能カードの転送待ちデータの有無を検出するが、この場合、有効ＰＨＹ番号を送出した後に未使用のＰＨＹ番号「＃１Ｆｈ」を送出することによりウエイト期間を設け、このウエイト期間にＰＨＹ機能カードとのハンドシェイクを実行するようにしている。
【００１４】
まず、ＡＴＭデバイス１は、受信クロック１のタイミングでＰＨＹ番号「＃０４ｈ」を示す受信アドレスを送出し、次の受信クロック２のタイミングで未使用のＰＨＹ番号「＃１Ｆｈ」を示す受信アドレスを送出する。
【００１５】
一方、ＰＨＹ機能カード２（＃０４）は、受信クロック２のタイミングで予め付与されている自ＰＨＹ番号「＃０４ｈ」と一致した受信アドレスを認識し、ＡＴＭデバイス１への転送待ちデータが存在するので、転送要求を示す受信ＣＬＡＶを送出する。
【００１６】
ＡＴＭデバイス１は、受信クロック２のタイミングで未使用のＰＨＹ番号「＃１Ｆｈ」を示す受信アドレスを送出した後、ＰＨＹ機能カード２（＃０４）からの受信ＣＬＡＶを監視し、転送要求を示す受信ＣＬＡＶを受信することにより、ＰＨＹ機能カード２（＃０４）に転送待ちデータが存在することを認識してデータ受信処理を開始する。
【００１７】
ＡＴＭデバイス１は、受信クロック３のタイミングで再びＰＨＹ番号「＃０４ｈ」を示す受信アドレスを送出し、次の受信クロック４のタイミングで未使用のＰＨＹ番号「＃１Ｆｈ」を示す受信アドレスを送出すると共に、転送許可を示す受信イネーブルを送出する。
【００１８】
ＰＨＹ機能カード２（＃０４）は、受信クロック４のタイミングで再びＰＨＹ番号「＃０４ｈ」を示す受信アドレスを認識して受信ＣＬＡＶを送出すると共に受信イネーブルを認識し、次の受信クロック５のタイミングで受信データ（ＡＴＭセル）の先頭（Ｈ１）を示す受信ＳＯＣも送出すると共に受信データの転送を開始する。
【００１９】
ところで、このようなＵＴＯＰＩＡインタフェースにおいて、複数のＰＨＹ機能カードの異常を検出するために、ＡＴＭデバイスから受信イネーブルが送出された後に、該当ＰＨＹ機能カードからＡＴＭデバイスへ受信データが正常に転送されたか否かを監視するようにしている。
【００２０】
例えば、各ＰＨＹデバイスにそれぞれ対応してＰＨＹデバイス識別回路およびセル監視回路を設け、各ＰＨＹデバイス識別回路は受信イネーブルに基づきＰＨＹデバイスを識別し、各セル監視回路はＰＨＹデバイス識別回路から識別結果が出力される度に受信ＳＯＣおよび受信データに基づき受信ＡＴＭセル数をカウントしている（特許文献１参照。）。
【００２１】
【特許文献１】
特開２００２−９７９５号
【００２２】
【発明が解決しようとする課題】
しかし、ＡＴＭデバイスから受信イネーブルが送出されたにもかかわらず、該当ＰＨＹ機能カードに障害が発生して受信データが送出されない場合、転送データが存在しないにもかかわらずＡＴＭデバイスはＰＨＹ機能カードからのＡＴＭセル転送処理を行うので、複数のＰＨＹ機能カードが共有するＵＴＯＰＩＡバスの転送レートを低下させることになる。
【００２３】
このような事態を解決するためには、ＰＨＹ機能カードから受信データが送出されないことを早期に検出することが必要であるが、従来例のように正常に転送された受信セル数をカウントする手段では、これを早期に検出できないという問題点を有している。
【００２４】
本発明の目的は、ＵＴＯＰＩＡレベル２のインタフェースを変更することなく、またアドレスポーリングによるハンドシェイク動作を損なうことなく、受信データの転送を監視してデータ転送が実行されない異常なＰＨＹ機能カードを早期に検出できる受信データ転送監視装置を提供することにある。
【００２５】
【課題を解決するための手段】
本発明の受信データ転送監視装置は、ＵＴＯＰＩＡレベル２インタフェースを介して複数のＰＨＹ機能カードからＡＴＭデバイスへ転送される受信データを監視する受信データ転送監視装置において、前記ＡＴＭデバイスのポーリングに応じて転送要求を行ったＰＨＹ機能カードに対し前記ＡＴＭデバイスが転送許可を行ったにもかかわらず、前記転送要求を行ったＰＨＹ機能カードが受信データを転送しないことを検出する手段を有している。
【００２６】
具体的には、前記ＡＴＭデバイスのポーリングに応じて転送要求を行ったＰＨＹ機能カードを識別する手段と、前記ＡＴＭデバイスが前記転送要求を行ったＰＨＹ機能カードに対して転送許可を送出したことを検出する手段と、前記転送許可が送出された前記ＰＨＹ機能カードから転送される受信データの有無を検出する手段と、を備えている。
【００２７】
更に、前記ＡＴＭデバイスがポーリングする受信アドレスを受信クロックのタイミングでラッチするアドレスラッチ部と、前記ＡＴＭデバイスのポーリングに応じて受信ＣＬＡＶ（転送要求）を送出したＰＨＹ機能カードに対し前記ＡＴＭデバイスから受信イネーブル（転送許可）が送出されたことを検出する転送許可検出部と、前記複数のＰＨＹ機能カードにそれぞれ対応して設けられて前記受信イネーブル（転送許可）が送出された後に受信データの先頭位置を示す受信ＳＯＣが送出されないことを検出する複数のＳＯＣ検出部と、前記複数のＳＯＣ検出部の検出結果に基づき異常のＰＨＹ機能カードを判定し通報する異常通報部とを有している。
【００２８】
また、前記転送許可検出部は、前記受信ＣＬＡＶおよび前記受信イネーブルが共に送出されている状態を受信クロックのタイミングでラッチすることにより受信ＣＬＡＶ（転送要求）を送出したＰＨＹ機能カードに対し前記ＡＴＭデバイスから受信イネーブル（転送許可）が送出されたことを検出し、前記アドレスラッチ部によりラッチされた受信アドレスのＰＨＹ機能カードに対応する前記ＳＯＣ検出部へ転送許可検出信号を送出する。
【００２９】
また、前記複数のＳＯＣ検出部は、前記転送許可検出信号を受けて前記受信ＳＯＣが送出されたか否かを監視し、前記受信ＳＯＣが送出されないことを検出したときにその検出回数（転送失敗回数）をカウントして前記異常通報部へ通知する。
【００３０】
また、前記異常通報部は、前記複数のＳＯＣ検出部により計測された検出回数（転送失敗回数）に基づき異常が発生しているＰＨＹ機能カードを判定し通報すると共に、前記複数のＳＯＣ検出部により計測された検出回数（転送失敗回数）に基づき単位時間当りの伝送レートの低下を監視し通報する。
【００３１】
【発明の実施の形態】
次に本発明について図面を参照して説明する。
【００３２】
図１は本発明の一実施形態を示す図であり、ＡＴＭデバイス１と、ＵＴＯＰＩＡレベル２インタフェースを介してＡＴＭデバイス１に接続されて受信データを転送する複数のＰＨＹ機能カード２と、受信データの転送を監視する受信データ転送監視装置３とを示している。
【００３３】
なお、ＵＴＯＰＩＡレベル２インタフェースとしては、ＡＴＭデバイス１からＰＨＹ機能カード２へ送信データを転送するためのインタフェースと、ＰＨＹ機能カード２からＡＴＭデバイスへ受信データを転送するためのインタフェースとがそれ
ぞれ独立して存在するが、図１は受信データを転送するインタフェースを示している。
【００３４】
図１に示したＵＴＯＰＩＡレベル２インタフェースは、ＰＨＹ機能カード２からＡＴＭデバイス１へＡＴＭセルを転送するための受信データと、ＡＴＭデバイス１からＰＨＹ機能カード２をポーリングするための受信アドレスと、ＰＨＹ機能カード２がＡＴＭデバイス１へ受信データの転送要求を通知するための受信ＣＬＡＶと、ＡＴＭデバイス１が指定したＰＨＹ機能カード２へ受信データの転送許可を通知するための受信イネーブルと、ＰＨＹ機能カード２がＡＴＭデバイス１へ受信データを転送する時にＡＴＭセルの先頭位置を通知するための受信ＳＯＣと、全ての動作のタイミング基準となるクロックを伝送するための受信クロックとの各バスで構成される。
【００３５】
受信データ転送監視装置３は、図２に示すように、受信アドレスをラッチするアドレスラッチ部３１と、ＡＴＭデバイス１が該当ＰＨＹ機能カードに対し受信イネーブル（転送許可）を送出したことを検出する転送許可検出部３２と、受信イネーブルが送出された後に該当ＰＨＹ機能カードが受信ＳＯＣを送出していないことを検出してその検出回数をカウントする複数のＳＯＣ検出部３３と、各ＳＯＣ検出部３３からのカウント結果に基づき異常のＰＨＹ機能カードを判定して通報する異常通報部３４とを有している。
【００３６】
ここで、アドレスラッチ部３１は、ＡＴＭデバイス１がポーリングする受信アドレスを受信クロックのタイミングでラッチし、このラッチアドレスを転送許可検出部３２へ出力する。なお、ラッチアドレスは受信アドレスをラッチした後の１受信クロック遅れで出力される。
【００３７】
転送許可検出部３２は、アドレスラッチ部３１から出力されるラッチアドレスおよび受信ＣＬＡＶと受信イネーブルと受信クロックとに基づき、ＡＴＭデバイス１が該当ＰＨＹ機能カード２に対し受信データの転送許可を行ったことを検出し、該当ＰＨＹ機能カード２に対応するＳＯＣ検出部３３へ転送許可検出信号を出力する。
【００３８】
すなわち、受信ＣＬＡＶおよび受信イネーブルが共に送出されている状態を受信クロックのタイミングでラッチすることにより、ラッチアドレスで示されるＰＨＹ機能カード２へＡＴＭデバイス１から受信イネーブル（転送許可）が送出されたことを検出し、ラッチアドレスで示されるＰＨＹ機能カード２に対応するＳＯＣ検出部３３へ転送許可検出信号を出力する。
【００３９】
ＳＯＣ検出部３３は、各ＰＨＹ機能カード２にそれぞれ対応して設けられていて、転送許可検出信号および受信ＳＯＣと受信クロックとに基づき、ＡＴＭデバイス１から受信イネーブル（転送許可）が送出されたにもかかわらず、該当ＰＨＹ機能カード２から受信ＳＯＣが送出されないことを検出し、その検出回数をカウントしてカウント結果を出力する。
【００４０】
すなわち、転送許可検出信号を受けてＡＴＭデバイス１から該当ＰＨＹ機能カード２へ受信イネーブル（転送許可）が送出されたことを認識し、該当ＰＨＹ機能カード２から送出されるべき受信ＳＯＣの有無を監視する。
【００４１】
ここで、受信ＳＯＣが送出されない場合、該当ＳＯＣ検出部３３は、受信データが転送されないことを検出してカウンタをインクリメントし、カウント値を異常通報部３４へ出力する。このカウント値は受信データの転送失敗回数を示している。
【００４２】
異常通報部３４は、各ＳＯＣ検出部３３から出力されるカウント値に基づきデータ転送に異常が発生しているＰＨＹ機能カードを判定し通報する。また、単位時間あたりの伝送レートの低下を監視して通報する。
【００４３】
図３は本発明の動作例を示すタイミングチャートである。
【００４４】
ここでは、ＡＴＭデバイス１がＰＨＹ番号「＃０４ｈ」のＰＨＹ機能カード２（＃０４）から受信データを受信するときにＰＨＹ機能カード２（＃０４）からＡＴＭセルが送出されない場合、およびＰＨＹ番号「＃１０ｈ」のＰＨＹ機能カード２（＃１０）から受信データを受信するときにＰＨＹ機能カード２（＃１０）から正常にＡＴＭセルが送出される場合を示している。なお、受信クロックに付した番号はタイミングを説明するためのものである。
【００４５】
まず、ＡＴＭデバイス１は、受信クロック１のタイミングでＰＨＹ番号「＃０４ｈ」を示す受信アドレスを送出し、次の受信クロック２のタイミングで未使用のＰＨＹ番号「＃１Ｆｈ」を示す受信アドレスを送出する。
【００４６】
一方、ＰＨＹ機能カード２（＃０４）は、受信クロック２のタイミングで予め付与されている自ＰＨＹ番号「＃０４ｈ」と一致した受信アドレスを認識し、ＡＴＭデバイス１への転送待ちデータが存在するので転送要求を示す受信ＣＬＡＶを送出する。
【００４７】
ＡＴＭデバイス１は、受信クロック２のタイミングで未使用のＰＨＹ番号「＃１Ｆｈ」を示す受信アドレスを送出した後、ＰＨＹ機能カード２（＃０４）からの受信ＣＬＡＶを監視し、転送要求の受信ＣＬＡＶを受信することにより、ＰＨＹ機能カード２（＃０４）に転送待ちデータが存在することを認識してデータ受信処理を開始する。
【００４８】
ＡＴＭデバイス１は、受信クロック３のタイミングで再びＰＨＹ番号「＃０４ｈ」を示す受信アドレスを送出し、次の受信クロック４のタイミングで未使用のＰＨＹ番号「＃１Ｆｈ」を示す受信アドレスを送出すると共に、転送許可を示す受信イネーブルを送出する。
【００４９】
ＰＨＹ機能カード２（＃０４）は、受信クロック４のタイミングで再びＰＨＹ番号「＃０４ｈ」を示す受信アドレスを認識して受信ＣＬＡＶを送出すると共に、受信イネーブルを認識して次の受信クロック５のタイミングで受信データの転送を開始しようとする。
【００５０】
しかし、ここでＰＨＹ機能カード２（＃０４）に障害が発生して受信データを送出できないので、点線で示したように、受信データおよび受信データ（ＡＴＭセル）の先頭を示す受信ＳＯＣを送出しない。
【００５１】
ところで、図２に示した受信データ転送監視装置３のアドレスラッチ部３１は、受信クロック３のタイミングで、ＡＴＭデバイス１がポーリングするＰＨＹ番号「＃０４ｈ」を示す受信アドレスをラッチし、次の受信クロック４のタイミングでラッチアドレスを転送許可検出部３２へ出力する。
【００５２】
転送許可検出部３２は、受信ＣＬＡＶおよび受信イネーブルが共に送出された状態を受信クロック４のタイミングでラッチすることにより、ＡＴＭデバイス１からラッチアドレスで示されるＰＨＹ機能カード２（＃０４）へ受信イネーブル（転送許可）が送出されたことを検出する。
【００５３】
そして、ＰＨＹ機能カード２（＃０４）に対応するＳＯＣ検出部３３（＃０４）へ転送許可検出信号を受信クロック５のタイミングで出力する。
【００５４】
ＳＯＣ検出部３３（＃０４）は、転送許可検出部３２から転送許可検出信号を受けることにより、ＡＴＭデバイス１がＰＨＹ機能カード（＃０４）へ受信データの転送許可を送出したことを認識し、ＰＨＹ機能カード（＃０４）から送出されるべき受信ＳＯＣを監視する。
【００５５】
この場合、ＰＨＹ機能カード（＃０４）から受信ＳＯＣが送出されないので、ＳＯＣ検出部３３（＃０４）は、受信データが転送されないと判定し、受信クロック６のタイミングでカウンタをインクリメントする。
【００５６】
その後、受信クロック１１〜１５のタイミングでは、ＡＴＭデバイス１がＰＨＹ番号「＃１０ｈ」のＰＨＹ機能カード２（＃１０）から受信データを受信するときに、ＰＨＹ機能カード２（＃１０）から正常にＡＴＭセルが送出される場合を示している。
【００５７】
この場合は、ＳＯＣ検出部３３（＃１０）は、受信クロック１５のタイミングで転送許可検出部３２から転送許可検出信号を受けることにより、ＡＴＭデバイス１がＰＨＹ機能カード（＃１０）へ受信データの転送許可を送出したことを認識し、ＰＨＹ機能カード（＃１０）から送出されるべき受信ＳＯＣを監視するが、ＰＨＹ機能カード（＃１０）から受信ＳＯＣが送出されるので、ＳＯＣ検出部３３（＃１０）は、受信データが正常に転出されたと判定し、カウンタのインクリメントは行わない。
【００５８】
このようにすることにより、ＡＴＭデバイスと複数のＰＨＹ機能カードとがＵＴＯＰＩＡレベル２インタフェースで接続されて受信データを転送する際に、受信データの転送が実行されない異常なＰＨＹ機能カードを早期に検出できる。
【００５９】
なお、上述したＵＴＯＰＩＡレベル２は、８ビットの送信データバスの場合について説明したが、１６ビットの送信データバスの場合においても同様の構成で実現できる。また、ＵＴＯＰＩＡレベル１においても同様の構成で実現できる。
【００６０】
【発明の効果】
以上説明したように本発明によれば、ＵＴＯＰＩＡレベル２インタフェースを変更することなく、またアドレスポーリングによるハンドシェイク動作を損なうことなく、受信データの転送要求を行ったにもかかわらずデータ転送を実行しない異常なＰＨＹ機能カードを早期に検出できるので、受信データの伝送レート低下を防止できる。
【００６１】
また、異常なＰＨＹ機能カードの受信データ転送失敗回数をカウントすることにより、単位時間あたりの伝送レートの低下を監視することができる。
【図面の簡単な説明】
【図１】本発明の一実施形態を示す図である。
【図２】図１に示した受信データ転送監視装置３を示すブロック図である。
【図３】本発明の動作例を示すタイミングチャートである。
【図４】受信データを転送するＵＴＯＰＩＡレベル２インタフェースを示す図である。
【図５】ＵＴＯＰＩＡレベル２の受信データ転送動作の一例を示すタイミングチャートである。
【符号の説明】
１    ＡＴＭデバイス
２    ＰＨＹ機能カード
３    受信データ転送監視装置
３１    アドレスラッチ部
３２    転送許可検出部
３３    ＳＯＣ検出部
３４    異常通報部
【図１】
2004201189.tif 000003
【図２】
2004201189.tif 000004
【図３】
2004201189.tif 000005
【図４】
2004201189.tif 000006
【図５】
2004201189.tif 000007